(57)【特許請求の範囲】
【請求項１】
１人の患者に処方された全ての裸剤からなる薬剤を服用時点毎に分けて、１回に服用する全ての種類の前記薬剤を識別手段を有する外から視認できるような透明または半透明である１つの分包紙に包装するとともにそれらの分包紙をそれぞれの服用時点毎に区別した前記識別手段と共通の識別手段を有する表面に包装されている薬剤についての裸剤の写真および薬剤情報を印刷した異なる薬袋に包装することを特徴とする薬剤の服用時点別包装システム。
【発明の詳細な説明】
【０００１】
【発明の属する技術分野】
本発明は、医療機関で作成された処方箋に基づいて患者に与えられる薬剤を包装する際のシステムに関するものであり、殊に、１人の患者に対して、服用時点の異なる複数の薬剤が処方された場合に有用な包装システムである。
【０００２】
【従来の技術】
病気や怪我等で病院や診療所等の医療機関を受診した患者は、医師によって薬剤を処方され、その処方箋に基づいて、院内または院外の薬局で投薬される。
【０００３】
薬局では、従来より、処方された薬剤の種類が少ない場合には、全ての薬剤を１枚の薬袋に包装し、それぞれの薬剤の用法や用量を薬袋に記入して患者に渡すことがあるが、複数の薬剤が処方されている場合には、混同しないために、薬剤毎に異なる薬袋に包装することが多い。
【０００４】
【発明が解決しようとする課題】
しかしながら、薬剤毎に薬袋を分けて包装すると、患者は、服用時に、薬袋に記入された用法や用量を参照しながら、それぞれの薬袋から必要用量ずつの薬剤を取り出して服用しなければならず、面倒な自己管理が必要であった。そのため、必要な薬剤を服用し忘れたり服用時点を誤ったりして、所定の効果が得られないことがあった。
【０００５】
また、例えば昼に勤務先等の外出先で薬剤を服用する場合には、全ての薬剤を持って外出するか、或いは薬袋から必要な薬剤を取り出して、別の容器や袋などに入れ替えて持ち歩かなければならず、極めて面倒であった。
【０００６】
【課題を解決するための手段】
そこで、本発明は、１人の患者に処方された全ての薬剤を服用時点毎に分けて、同じ服用時点で服用する全ての薬剤を同一の薬袋に包装し、服用時点が異なる薬剤は、それぞれ区別した異なる薬袋に包装するシステムとした。
【０００７】
このようなシステムで薬剤が包装されると、患者は、例えば朝は「朝食後」専用の薬袋に入っている薬剤を取り出して服用し、昼に外出する場合には、「昼食後」専用の薬袋だけを携帯すればよいので、服用時点を誤って服用することがない。
【０００８】
そして、服用時点が異なる薬袋に関して、例えば色を変えたり記号やイラスト等を表示するなど、一見して視感で識別可能な識別手段を用いれば、小児や高齢者等でも容易に見分けられ、誤服用を防ぐ効果が高くなる。
【０００９】
更に、各薬袋に、例えば点字のように、指などの触感で識別可能な識別手段を用いると、視覚障害者にも適用することができる。
【００１０】
また、薬袋に包装された薬剤のうち、１回に服用する全ての薬剤を１つの分包紙に包装すれば、患者が必要な薬剤を服用し忘れたり用量を間違えたりすることがなく、医療側の患者への正確な服用管理が一層容易に実現できる。
【００１１】
そして、薬袋とその薬袋に包装される分包紙とに、例えば文字による表記や、前記の視感または触感で識別可能な共通の識別手段を用いれば、分包紙が薬袋から出されて放置されても、患者が薬剤の服用時点を間違えることがない。
【００１２】
また、各薬袋の表面に、包装されている薬剤の裸剤の写真および薬剤情報を印刷すれば、患者は、服薬時毎に薬剤の内容等を確認することができる。
【００１３】
【発明の実施の形態】
本発明の実施の形態を図面に基づいて説明する。
【００１４】
図１は、本発明のフローチャートを示すものである。
【００１５】
患者が、医療機関を受診して医師によって処方箋を発行され、その処方箋を院内または院外の調剤薬局に提出すると、薬局では、患者の薬歴等を参照しながら、処方薬の種類や分量等がコンピュータに入力される。
【００１６】
すると、コンピュータによって、各薬剤の用法マスターが参照され、図２に示すように、処方された各薬剤毎の服用時点が決定される。
【００１７】
次に、図３に示すように、薬剤と１回の服用時点とが一対のデータと見なされて、服用時点順にデータが並ぶようにソートされる。
【００１８】
その後、図４に示すように、同じ服用時点のデータが同じグループにまとめられ、服用時点毎にデータが分離されるので、その結果に基づいて、各服用時点毎に薬袋が印刷される。
【００１９】
薬袋１は、図４に示すグループ分けに基づいて作成され、例えば図５に示すように、朝食後、昼食後、夕食後の三枚の薬袋１１，１２，１３が印刷される。そして、各薬袋１１，１２，１３には、それぞれの服用時点を文字で表記して区別されるとともに、薬袋１１，１２，１３毎に、袋自体の色や印刷する文字の色を変えたり、表面にそれぞれ異なるイラスト２１，２２，２３等の記号２を表示するなど、高齢者等で視力が弱い場合や文字が読めない幼児等でも容易に識別することができるような識別手段が用いられる。
【００２０】
更に、患者が視覚障害者の場合には、各薬袋１１，１２，１３の適宜個所に、点字のように触感で識別できるような識別手段を用いる。
【００２１】
また、各薬袋１１，１２，１３の表面には、包装されている各薬剤の裸剤の写真と、それらの作用および副作用の可能性や服用時の注意事項等の薬剤情報が印刷され、患者が、服用時に薬剤を確認し、薬剤に関する関心を高めることによって、誤服用等によるトラブル等を防ぐようにする。
【００２２】
そして、各薬袋１１，１２，１３に複数種類の薬剤が包装されていて、殊に薬剤によって服用量が異なる場合などには、１回に服用する分量の薬剤を、全て１枚の分包紙に包装することによって、常に正しい分量の薬剤を漏れなく服用することができるようにする。
【００２３】
この分包紙には、服用時点を文字で表記することはもちろん、各薬袋１１，１２，１３と同じ色や記号２等による識別手段を用いることによって、薬袋１から分包紙を取り出して放置しても、服用時点が不明にならないようにする。また、各薬袋１１，１２，１３に印刷された裸剤の写真と照合して、薬剤の種類を確認できるように、分包紙は、薬剤が外から視認できるような透明または半透明のものが好ましい。
【００２４】
このように、本発明によって、患者は、服用時点が異なる複数の薬剤を投薬されても、誤服用や服用漏れを起こすことなく、容易に正しく服薬することができるため、医師や薬剤師にとっては、患者への服薬管理の大きな手助けとなる。
【００２５】
しかも、例えば患者が昼に外出先で服薬する場合には、昼用の薬袋だけを携帯すれば、薬剤の種類や服用時点を間違えずに服薬することができるので、身軽且つ便利である。
【００２６】
【発明の効果】
本発明によると、複数の薬剤を服用する場合に、各薬剤の服用時点が異なっていても、面倒な自己管理をすることなく、誤服用や服用漏れを起こさずに必要な薬剤を正しく服用することができる。従って、医療機関や薬局にとっては、患者に対する適正な服薬管理が容易に行える。
【００２７】
また、服用時点が異なる薬袋を、色や記号等のように視感で識別可能な識別手段によって識別できるようにしたり、必要に応じて点字等のように触感で識別できるようにすれば、誰でも容易に薬袋を識別して、服用時点を間違えずに薬剤を服用することができる。
【００２８】
更に、薬袋に包装された薬剤のうち、１回に服用する全ての薬剤を一つの分包紙に包装すれば、いっそう服用漏れや重複服用等の誤服用を容易に防ぐことができる。
【００２９】
そして、薬袋の中の分包紙が、それぞれの服用時点毎に包装される各薬袋と共通の識別手段を有するようにすることによって、分包紙が薬袋から出された状態で放置されても、服用時点が不明になることがなく、誤服用を防止することができる。
【００３０】
更にまた、薬袋の表面に、包装されている薬剤の裸剤の写真および薬剤情報を印刷すれば、常に薬剤を確認しながら服用することができ、薬剤に対する関心を喚起するとともに、服薬によるトラブル等を防止することができる。
【図面の簡単な説明】
【図１】本発明の実施の形態を示すフローチャート図である。
【図２】図１に示す流れの一過程を示す説明図である。
【図３】図２に続く過程を示す説明図である。
【図４】図３に続く過程を示す説明図である。
【図５】本発明によって発行される薬袋の一例を示す正面図である。
【符号の説明】
１  薬袋、２  記号
【図１】
0004987192.tif 000002
【図２】
0004987192.tif 000003
【図３】
0004987192.tif 000004
【図４】
0004987192.tif 000005
【図５】
0004987192.tif 000006